【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
混合冷媒を用いる極低温冷凍システムであって、
流体に関して冷凍プロセスに連通する圧縮機であって、前記冷凍プロセスが、前記圧縮機と蒸発器との間で前記冷凍システムの高圧側にある高圧管路と、前記蒸発器と前記圧縮機との間の冷媒戻り経路内で前記冷凍システムの低圧側にある低圧管路と、前記低圧管路の冷媒によって前記高圧管路内の冷媒を冷却する少なくとも１つの熱交換器と、を有する圧縮機と、
バルブを含み、前記冷凍プロセスの少なくとも一部をバイパスして前記混合冷媒中でのフリーズアウトを防止するフリーズアウト防止回路と、
を有し、
前記フリーズアウト防止回路は、
ａ）  温かい高圧冷媒の凝固点が、前記システム内の最も低温の低圧冷媒が流れる前記冷凍プロセス内の点での冷媒の凝固点よりも高くないとして、前記高圧配管が前記冷凍プロセスの低温端から抜け出すより前で前記高圧冷媒が流れる前記冷凍プロセス内の点から、前記システムの最も低温の低圧冷媒が流れる前記冷凍プロセス内の点までに接続されたバイパスループ、または、
ｂ）  高圧冷媒がその最も低い温度にある前記冷凍プロセス内の点から、低圧冷媒が、熱交換器を横切ることなく、前記冷凍プロセス内の前記少なくとも１つの熱交換器のうちの最も低温のものから抜け出す前記冷凍プロセス内の点までに接続されたバイパスループ、または、
ｃ）  前記圧縮機と前記冷凍プロセスの高圧管路の入口との間の前記圧縮機高圧冷媒管路から、前記圧縮機の吸引管路までに接続されたバイパスループ、
のいずれか１つのバイパスループを有する冷凍システム。
【請求項２】
前記フリーズアウト防止回路は、前記高圧配管が前記冷凍プロセスから抜け出すより前で前記温かい高圧冷媒が流れる前記冷凍プロセス内の点から、前記システムの最も低温の低圧冷媒が流れる前記冷凍プロセス内の点までに接続されたバイパスループを有し、前記温かい高圧冷媒の凝固点は、前記システム内の最も低温の低圧冷媒が流れる前記冷凍プロセス内の点での冷媒の凝固点よりも高くない、請求項１に記載の冷凍システム。
【請求項３】
前記フリーズアウト防止回路は、高圧冷媒がその最も低い温度にある前記冷凍プロセス内の点から、低圧冷媒が、熱交換器を横切ることなく、前記冷凍プロセスの前記少なくとも１つの熱交換器のうちの最も低温のものから抜け出す前記冷凍プロセス内の点までに接続されたバイパスループを有する、請求項１に記載の冷凍システム。
【請求項４】
前記フリーズアウト防止回路は、前記圧縮機と前記冷凍プロセスの高圧管路の入口との間の前記圧縮機高圧冷媒管路から前記圧縮機の前記吸引管路にまで接続されているバイパスループを有する、請求項１に記載の冷凍システム。
【請求項５】
前記バイパス回路は、前記フリーズアウト回路を通る流体の流れを制御する手段を含む、請求項１に記載の冷凍システム。
【請求項６】
前記流体の流れは、オンオフ(on-off)弁および流量計測装置を利用して制御される、請求項５に記載の冷凍システム。
【請求項７】
前記流体の流れは、比例制御弁を利用して制御される、請求項５に記載の冷凍システム。
【請求項８】
前記流体の流れは、自動的に制御される、請求項８に記載の冷凍システム。
【請求項９】
前記混合冷媒は、Ｒ−１２３、Ｒ−２４５ｆａ、Ｒ−２３６ｆａ、Ｒ−１２４、Ｒ−１３４ａ、プロパン、Ｒ−１２５、Ｒ−２３、エタン、Ｒ−１４、メタン、アルゴン、窒素、およびネオンからなる群から選択された１またはそれ以上の冷媒を有する、請求項１に記載の冷凍システム。
【請求項１０】
前記混合冷媒は、それぞれ列記された成分をモル分率の範囲で含む以下のブレンド：
Ｒ−１２３（０．０１から０．４５）、Ｒ−１２４（０．０から０．２５）、Ｒ−２３（０．０から０．４）、Ｒ−１４（０．０５から０．５）およびアルゴン（０．０から０．４）を有するブレンドＡ、
Ｒ−２３６ｆａ（０．０１から０．４５）、Ｒ−１２５（０．０から０．２５）、Ｒ−２３（０．０から０．４）、Ｒ−１４（０．０５から０．５）およびアルゴン（０．０から０．４）をするブレンドＢ、
Ｒ−２４５ｆａ（０．０１から０．４５）、Ｒ−１２５（０．０から０．２５）、Ｒ−２３（０．０から０．４）、Ｒ−１４（０．０５から０．５）およびアルゴン（０．０から０．４）を有するブレンドＣ、
Ｒ−２３６ｆａ（０．０から０．４５）、Ｒ−２４５ｆａ（０．０から０．４５）、Ｒ−１３４ａ（０より大きい）、Ｒ−１２５（０．０から０．２５）、Ｒ−２１８（０．０から０．２５）、Ｒ−２３（０．０から０．４）、Ｒ−１４（０．０５から０．５）、アルゴン（０．０から０．４）、窒素（０．０から０．４）およびネオン（０．０から０．２）を有するブレンドＤ、および、
プロパン（０．０から０．５）、エタン（０．０から０．３）、メタン（０．０から０．４）、アルゴン（０．０から０．４）、窒素（０．０から０．５）およびネオン（０．０から０．３）を有するブレンドＥ、
からなる群から選択される、請求項９に記載の冷凍システム。
【請求項１１】
冷凍システムであって、
圧縮機と、
流体に関して前記圧縮機に連通するともに、前記圧縮機と蒸発器との間で前記冷凍システムの高圧側にある高圧管路と、前記蒸発器と前記圧縮機との間の冷媒戻り経路内で前記冷凍システムの低圧側にある低圧管路と、前記低圧管路の冷媒によって前記高圧管路内の冷媒を冷却する少なくとも１つの熱交換器と、を有する冷凍プロセスと、
前記冷凍プロセスから高圧冷媒を受け入れる膨張装置と、
バルブを含み、前記冷凍プロセスの少なくとも一部をバイパスして混合冷媒中でのフリーズアウトを防止する、フリーズアウト防止回路と、
を有し、１８３Ｋ未満の温度で冷凍を提供する前記混合溶媒を使用する冷凍システム。
【請求項１２】
前記フリーズアウト防止回路は、より高圧のより温かい点から、前記冷凍プロセスのより低圧の低温点までである、請求項１１に記載の冷凍システム。
【請求項１３】
前記フリーズアウト防止回路は流れ制限を含む、請求項１２に記載の冷凍システム。
【請求項１４】
６５Ｋを超える温度の冷凍を提供する前記混合冷媒を使用する、請求項１１に記載の冷凍システム。
【請求項１５】
前記混合冷媒は、広く離れた標準沸点を有する少なくとも２つの成分冷媒を含む、請求項１１に記載の冷凍システム。
【請求項１６】
前記混合冷媒は、標準沸点が少なくとも５０℃異なる少なくとも２つ成分冷媒を含む、請求項１５に記載の冷凍システム。
【手続補正２】
【補正対象書類名】明細書
【補正対象項目名】００１０
【補正方法】変更
【補正の内容】
【００１０】
従来の冷凍システムは、環境に対して有害であると判断され、オゾン欠乏の原因となることが知られている塩素化(chlorinated)冷媒を伝統的に利用してきた。したがって、ますます制約を強化する環境規制によって、冷凍業界は、塩素化フルオロカーボン（ＣＦＣ）からハイドロクロロフルオロカーボン（ＨＣＦＣ）に切り換えるようになった。モントリオール議定書の条項は、ＨＣＦＣの段階的廃止を要求し、欧州連合の法律には、２００１年１月１日時点で冷凍システムにおけるＨＣＦＣの使用を禁止することが定められている。したがって、代替的な冷媒混合物の開発が必要とされる。ハイドロフルオロカーボン（ＨＦＣ）冷媒は、不燃性で、毒性が低く、商業的に入手可能である好適な候補である。